(57)【要約】【課題】支柱体の上端部に横杆体を取付可能な取付杆体を枢着部で折曲自在に枢着し、該支柱体の上端部に該取付杆体の折曲を阻止可能な摺動筒体を上下摺動自在に設けてなるから、例えば、閉店時、運搬時の不使用時等において、支柱体から横杆体を取り外すことなく、嵩張らずにコンパクトに収納することができ、使用の利便性を高めることができる。【解決手段】支柱体１の上部に横杆体２を設け、支柱体及び横杆体に幟旗体３を設けてなり、支柱体の上端部に横杆体を取付可能な取付杆体４を枢着部５で折曲自在に枢着し、支柱体の上端部に取付杆体の折曲を阻止可能な摺動筒体６を上下摺動自在に設けてなる。【選択図】図１
2007316552.tif 000002
【特許請求の範囲】
【請求項１】
支柱体の上部に横杆体を設け、該支柱体及び横杆体に幟旗体を設けてなり、上記支柱体の上端部に上記横杆体を取付可能な取付杆体を枢着部で折曲自在に枢着し、該支柱体の上端部に該取付杆体の折曲を阻止可能な摺動筒体を上下摺動自在に設けてなることを特徴とする幟旗装置。
【請求項２】
上記摺動筒体は下降状態で上記支柱体の上端部及び取付杆体を同時に被覆し、該取付杆体の折曲を阻止すると共に上昇状態で上記支柱体の上端部から離反し、該取付杆体に移行して該取付杆体の折曲を許容するように設けられていることを特徴とする請求項１記載の幟旗装置。
【請求項３】
上記摺動筒体を上記下降状態に規制可能な規制機構を設けてなることを特徴とする請求項１又は２記載の幟旗装置。
【発明の詳細な説明】
【技術分野】
【０００１】
本発明は例えば、遊技施設、催事施設等において、広告宣伝用に用いられる幟旗装置に関するものである。
【背景技術】
【０００２】
従来、従来この種の幟旗装置として、地上等に立設される支柱体の上部に横杆体を設け、この支柱体及び横杆体に広告宣伝用の幟旗体を設けてなる構造のものが知られている。
【特許文献１】特開２００４−３７７８８
【発明の開示】
【発明が解決しようとする課題】
【０００３】
しかしながら上記従来構造の場合、例えば、閉店時、運搬時の不使用時等において、嵩張らないようにするため、支柱体から横杆体を取り外す作業が必要となり、それだけ、使用の利便性に劣ることがあるという不都合を有している。
【課題を解決するための手段】
【０００４】
本発明はこれらの不都合を解決することを目的とするもので、本発明のうちで、請求項１記載の発明は、支柱体の上部に横杆体を設け、該支柱体及び横杆体に幟旗体を設けてなり、上記支柱体の上端部に上記横杆体を取付可能な取付杆体を枢着部で折曲自在に枢着し、該支柱体の上端部に該取付杆体の折曲を阻止可能な摺動筒体を上下摺動自在に設けてなることを特徴とする幟旗装置にある。
【０００５】
又、請求項２記載の発明は、上記摺動筒体は下降状態で上記支柱体の上端部及び取付杆体を同時に被覆し、該取付杆体の折曲を阻止すると共に上昇状態で上記支柱体の上端部から離反し、該取付杆体に移行して該取付杆体の折曲を許容するように設けられていることを特徴とするものであり、又、請求項３記載の発明は、上記摺動筒体を上記下降状態に規制可能な規制機構を設けてなることを特徴とするものである。
【発明の効果】
【０００６】
本発明は上述の如く、請求項１記載の発明にあっては、支柱体の上端部に上記横杆体を取付可能な取付杆体を枢着部で折曲自在に枢着し、該支柱体の上端部に該取付杆体の折曲を阻止可能な摺動筒体を上下摺動自在に設けてなるから、例えば、閉店時、運搬時の不使用時等において、支柱体から横杆体を取り外すことなく、嵩張らずにコンパクトに収納することができ、使用の利便性を高めることができる。
【０００７】
又、請求項２記載の発明にあっては、上記摺動筒体は下降状態で上記支柱体の上端部及び取付杆体を同時に被覆し、取付杆体の折曲を阻止すると共に上昇状態で上記支柱体の上端部から離反し、取付杆体に移行して取付杆体の折曲を許容するように設けられているから、摺動筒体の上昇及び下降摺動により取付杆体の折曲阻止を容易に行うことができると共に構造を簡素化することができ、又、請求項３記載の発明にあっては、上記摺動筒体を上記下降状態に規制可能な規制機構を設けてなるから、摺動筒体を下降状態で位置規制することができ、取付杆体の不測の折曲を防止することができる。
【発明を実施するための最良の形態】
【０００８】
図１乃至図７は本発明の実施の形態例を示し、１は支柱体であって、図１の如く、例えば遊技施設、催事施設等の入口付近に立設され、この支柱体１の上部に四角桟状の横杆体２が設けられ、この支柱体１及び横杆体２に幟旗体３が複数個の紐輪３ａにより取り付けられている。
【０００９】
４は取付杆体であって、この場合、図３の如く、支持杆４ａの上端部に保持杆４ｂを軸受筒４ｃにより回転自在に挿通し、保持杆４ｂの外周面に雄ねじ部４ｄを形成し、保持杆４ｂに上記横杆体２が挿通可能な四角穴状の挿通穴４ｅ・４ｅを形成すると共に雄ねじ部４ｄにナット体４ｆを螺着し、ナット体４ｆを雄ねじ部４ｄに螺着することにより横杆体２を保持杆４ｂに固定可能に設け、更に、上記支柱体１の上端部に連結杆１ａを固定し、連結杆１ａに半割部１ｂを形成し、半割部１ｂに弧状の逃げ部１ｃを形成し、上記保持杆４ｂの下端部に半割部４ｇを形成し、半割部４ｇに弧状の逃げ部４ｈを形成し、この支柱体１の半割部１ｂと連結杆１ａと保持杆４ｂの半割部４ｂとを枢軸からなる枢着部５により枢着し、枢軸部５により取付杆体４を折曲自在に構成している。
【００１０】
６は摺動筒体であって、この場合、上記取付杆体４の外周面及び支柱体１の外周面に上下摺動自在に形成され、この摺動筒体６は下降状態で上記支柱体１の上端部及び取付杆体４の下部を同時に被覆し、枢着部５での取付杆体４の折曲を阻止すると共に上昇状態で上記支柱体１の上端部から離反し、取付杆体４に移行して枢着部５での取付杆体４の折曲を許容するように形成されている。
【００１１】
７は規制機構であって、この場合、上記摺動筒体６に垂直溝６ａ及び水平溝６ｂからなるＬ状の規制溝６ｃを形成し、支柱体１の上部に規制ピン７ａを形成し、摺動筒体６の下降時に規制ピン７ａに垂直溝６ａを嵌合すると共に摺動筒体６を回転して規制ピン７ａを水平溝６ｂに嵌合することにより摺動筒体６を下降状態で位置規制するように設けて構成している。
【００１２】
この実施の形態例は上記構成であるから、図１、図２の如く、支柱体１の上部に横杆体２が設けられ、この支柱体１及び横杆体２に幟旗体３を設け、遊技施設、催事施設等において、地上等に立設し、広告宣伝用として、用いることになり、この際、上記支柱体１の上端部に上記横杆体２を取付可能な取付杆体４を枢着部５で折曲自在に枢着し、支柱体１の上端部に取付杆体４の折曲を阻止可能な摺動筒体６を上下摺動自在に設けてなるから、例えば、閉店時、運搬時の不使用時等において、先ず、図６の如く、摺動筒体６を上方に持ち上げ、図７の如く、枢着部５で取付杆体４を折曲することにより横杆体２を支柱体１に沿って折り畳むことができ、横杆体２を支柱体１に沿って折り畳むことにより、幟旗体３は弛緩状態となり、この幟旗体３を支柱体１に巻き込み、図外の止着手段により止着することができ、又、使用時には、図６の如く、枢着部５で取付杆体４を起立折曲し、図２の如く、摺動筒体６を下方に下げることにより取付杆体４の折曲を阻止することができ、不使用時において、支柱体１から横杆体２を取り外すことなく、嵩張らずにコンパクトに収納することができ、使用の利便性を高めることができる。
【００１３】
又、この場合、上記摺動筒体６は下降状態で上記支柱体１の上端部及び取付杆体４を同時に被覆し、取付杆体４の折曲を阻止すると共に上昇状態で上記支柱体１の上端部から離反し、取付杆体４に移行して取付杆体４の折曲を許容するように設けられているから、摺動筒体６の上昇及び下降摺動により取付杆体４の折曲阻止を容易に行うことができると共に構造を簡素化することができ、又、この場合、上記摺動筒体６を上記下降状態に規制可能な規制機構７を設けてなるから、この場合、摺動筒体６の下降時に規制ピン７ａに垂直溝６ａを嵌合すると共に摺動筒体６を回転して規制ピン７ａを水平溝６ｂに嵌合することにより摺動筒体６を下降状態で位置規制することができ、取付杆体４の不測の折曲を防止することができる。
【００１４】
尚、本発明は上記実施の形態例に限られるものではなく、支柱体１、横杆体２、幟旗体３、取付杆体４等の構造や形態等は適宜設計して変更される。
【００１５】
以上、所期の目的を充分達成することができる。
【図面の簡単な説明】
【００１６】
【図１】本発明の実施の形態例の全体正面図である。
【図２】本発明の実施の形態例の部分正面図である。
【図３】本発明の実施の形態例の部分断面図である。
【図４】本発明の実施の形態例の平断面図である。
【図５】本発明の実施の形態例の部分断面図である。
【図６】本発明の実施の形態例の部分正面図である。
【図７】本発明の実施の形態例の部分正面図である。
【符号の説明】
【００１７】
１    支柱体
２    横杆体
３    幟旗体
４    取付杆体
５    枢着部
６    摺動筒体
７    規制機構
【図１】
2007316552.tif 000003
【図２】
2007316552.tif 000004
【図３】
2007316552.tif 000005
【図４】
2007316552.tif 000006
【図５】
2007316552.tif 000007
【図６】
2007316552.tif 000008
【図７】
2007316552.tif 000009